(57)【要約】【課題】不正使用による着脱が困難な安全性の高い容器用液体噴出器及びその着脱工具を提供する。【解決手段】噴出器10は、容器50の口部51に取外し可能にねじ付けられる装着筒11と、装着筒11を保持するポンプ機構Pとを備える。装着筒11の下端部に、軸線O周りに複数の突出部11dを配置し、これら突出部11dの全体が多角柱状をして工具30との嵌め合い部Eを形成するとともに、突出部11dの相互間を工具30に設けた突起32,33を挿入させる隙間Sに形成し、突出部11dの外観形状はそれぞれ、２つの平面11d1からなる角部を形成する。装着筒11に、嵌め合い部Eを覆い隠す周壁22aを有して当該周壁22aが引き上げ可能であって装着筒11a周りを回転可能なカバー22を設ける。【選択図】図６
2014091534.tif 000002
【特許請求の範囲】
【請求項１】
容器の口部に取り外し可能にねじ付けられる装着筒と、装着筒を保持するポンプ機構とを備える容器用液体噴出器であって、
装着筒の下端部に、当該装着筒の軸線周りに間隔を置いて複数の突出部を配置し、これら突出部の全体が多角柱状の嵌め合い部を形成するとともに、当該突出部の相互間を隙間に形成し、さらに、当該突出部の外観形状はそれぞれ、角部を形成する一方、
さらに、装着筒に、当該装着筒を取り囲んで嵌め合い部を覆い隠す周壁を有して当該周壁が引き上げ可能に連結されるとともに装着筒周りを回転可能なシャットダウンカバーが設けられた、容器用液体噴出器。
【請求項２】
請求項１において、シャットダウンカバーの周壁と装着筒に、一方が他方を乗り越えることで周壁の引き上げを可能にする係止部が設けられた、容器用液体噴出器。
【請求項３】
請求項１又は２において、前記角部は２つの平面からなる、容器用液体噴出器。
【請求項４】
請求項１乃至３のいずれか１項において、シャットダウンカバーの周壁の外表面が平滑な面である、容器用液体噴出器。
【請求項５】
請求項１乃至４のいずれか１項に記載の容器用液体噴出器に用いられる着脱工具であって、
当該着脱工具は、一方が開放された馬蹄形のプレート部を有して、当該プレート部の内縁部が嵌め合い部に合わさる多角形状に形作られているとともに、当該多角形を形作る内縁部に、前記隙間に挿入される少なくとも１つの突起部が形成された、着脱工具。
【請求項６】
請求項５において、着脱工具の差し入れ方向に沿って平行な当該着脱工具の中心軸上に、当該中心軸と直交する方向に伸びる内縁部を有し、当該内縁部の前記中心軸上に前記突起部が設けられている、着脱工具。
【請求項７】
請求項６において、着脱工具の中心軸上に設けられた前記突起部に隣接する少なくとも１つの内縁部に、前記突起部を設け、当該突起部の隅部に、前記突起部との干渉を抑制しつつ、隙間に案内するための切り欠き部を設けた、着脱工具。
【請求項８】
請求項５乃至７のいずれか１項において、プレート部の外縁に沿って設けたサイドプレート部に、シャットダウンカバーの周壁に引っ掛かって互いに固定保持される係止部が設けられた、着脱工具。
【請求項９】
請求項５乃至８のいずれか１項において、プレート部の開放側に、傾斜面が形成された、着脱工具。
【請求項１０】
請求項５乃至９のいずれか１項において、ストラップホールを備える、着脱工具。
【発明の詳細な説明】
【技術分野】
【０００１】
本発明は、容器の口部に対して取り外し可能にねじ付けられる装着筒と、装着筒を保持するポンプ機構とを備える容器用液体噴出器及び、その着脱に用いられる工具に関するものである。
【背景技術】
【０００２】
本願出願人は、従来の容器用液体噴出器として、店頭での陳列やホテル等の施設に据え置かれるときに、容器から取り外されることで、内容物が入れ替えられたり、抜き取られる等の悪戯を想定し、こうした不正使用を防止する対策としてラチェット機構を採用した２つの部材で装着筒を構成したものを提案済みである（例えば、特許文献１参照）。
【先行技術文献】
【特許文献】
【０００３】
【特許文献１】特願２００４−３４４８２２号公報
【発明の概要】
【発明が解決しようとする課題】
【０００４】
しかしながら、様々なニーズに応じて、新たな容器用液体噴出器を提案していくことが重要であることも事実である。
【０００５】
本発明の目的とするところは、不正使用による着脱が困難な安全性の高い新規な容器用液体噴出器及び、その着脱に用いられる工具を提供することにある。
【課題を解決するための手段】
【０００６】
本発明は、容器の口部に取り外し可能にねじ付けられる装着筒と、装着筒を保持するポンプ機構とを備える容器用液体噴出器であって、
装着筒の下端部に、当該装着筒の軸線周りに間隔を置いて複数の突出部を配置し、これら突出部の全体が多角柱状の嵌め合い部を形成するとともに、当該突出部の相互間を隙間に形成し、さらに、当該突出部の外観形状はそれぞれ、角部を形成する一方、
さらに、装着筒に、当該装着筒を取り囲んで嵌め合い部を覆い隠す周壁を有して当該周壁が引き上げ可能に連結されるとともに装着筒周りを回転可能なシャットダウンカバーが設けられたものである。
【０００７】
本発明の容器用液体噴出器では、シャットダウンカバーの周壁と装着筒に、一方が他方を乗り越えることで周壁の引き上げを可能にする係止部を設けることが好ましい。また、角部は２つの平面からなるものとすることができる。
【０００８】
本発明の容器用液体噴出器では、シャットダウンカバーの周壁の外表面は平滑な面であることが好ましい。
【０００９】
一方、本発明の着脱工具は、上記容器用液体噴出器に用いられる着脱工具であって、
当該着脱工具は、一方が開放された馬蹄形のプレート部を有して、当該プレート部の内縁部が嵌め合い部に合わさる多角形状に形作られているとともに、当該多角形を形作る内縁部に、前記隙間に挿入される少なくとも１つの突起部が形成されたものである。
【００１０】
本発明の着脱工具では、着脱工具の差し入れ方向に沿って平行な当該着脱工具の中心軸上に、当該中心軸と直交する方向に伸びる内縁部を有し、当該内縁部の前記中心軸上に前記突起部が設けられていることが好ましい。また、この場合、前記突起部に隣接する少なくとも１つの内縁部に、前記突起部を設け、当該突起部があるときは、当該他の突起部の隅部に、前記突起部との干渉を抑制しつつ、隙間に案内するための切り欠き部を設けることが好ましい。
【００１１】
本発明の着脱工具では、プレート部の外縁に沿って設けたサイドプレート部に、シャットダウンカバーの周壁に引っ掛かって互いに固定保持される係止部を設けることが好ましい。
【００１２】
本発明の着脱工具では、プレート部の開放側に、傾斜面を形成することが好ましい。さらに、本発明の着脱工具には、ストラップホールを設けることができる。
【発明の効果】
【００１３】
本発明では、装着筒の下端部に、嵌め合い部を形成することで、嵌め合い部に適合する工具を持たない第三者は、装着筒を直接回転させることができない。しかも、嵌め合い部は装着筒とともに、この装着筒に対して相対回転するシャットダウンカバーの周壁によって覆い隠されている。これに対し、着脱工具を所持する管理者は、シャットダウンカバーの下側から工具を差し入れることで、装着筒を容器に対して回転させることができる。従って、本発明によれば、不正使用による着脱が困難な安全性の高い新規な容器用液体噴出器を提供することができる。
【００１４】
加えて、嵌め合い部は、装着筒の下端部に配置された複数の突出部で形作られた多角柱状であって、突出部の相互間に複数の隙間が形成されていることから、これら隙間の少なくとも１箇所に、工具に設けた突起部を挿入させれば、工具の内縁部の形状を嵌め合い部の形状に対して遊びを持たせて差し嵌め時の操作性を高めた場合でも、工具を嵌め合い部に対してスリップさせることなく、装着筒を緩めることができる。しかも、突出部の外観形状は２つの平面からなる角部を形成することで、当該角部の平面がそれぞれ、工具に設けた突起を前記隙間に案内する案内面を形成するため、工具の突起部と嵌め合い部に形成された隙間との位置合わせを容易に行うことができる。
【００１５】
一方、本発明の着脱工具は、一方が開放された馬蹄形のプレート部を有して、当該プレート部の内縁部が嵌め合い部に合わさる多角形状に形作られているとともに、当該多角形を形作る内縁部に、前記隙間に挿入される少なくとも１つの突起部が形成されたものであることから、上述の容器用液体噴出器を容器からの着脱に用いる場合に有効である。
【図面の簡単な説明】
【００１６】
【図１】本発明の一実施形態である容器用液体噴出器を容器本体に装着したポンプ容器を一部断面で示す側面図である。
【図２】（ａ）は、同実施形態に係る装着筒の上面図であり、（ｂ）は、同装着筒を一部断面で示す側面図であり、（ｃ）は、同装着筒の底面図である。
【図３】同実施形態に係るシャットダウンカバーを一部断面で示す側面図である。
【図４】同ポンプ容器のシャットダウンカバーを引き上げた状態を一部断面で示す側面図である。
【図５】（ａ）は、同実施形態に係る着脱工具の上面図であり、（ｂ）は、（ａ）のＡ−Ａ断面図であり、（ｃ）は、（ｂ）のＢ−Ｂ断面図である。
【図６】同ポンプ容器の装着筒下側に工具を差し入れることで、同液体噴出器の着脱が可能な状態を一部断面で示す側面図である。
【図７】同装着筒下側に着脱工具を差し嵌めした状態を示す底面図である。
【発明を実施するための形態】
【００１７】
以下、図面を参照して、本発明の一実施の形態を詳細に説明する。
【００１８】
図１中、符号１は、ポンプ容器であり、符号１０は、本発明の一実施形態である容器用液体噴出器（以下、「液体噴出器」）である。液体噴出器１０は、ユニット化されており、符号１１は、容器本体５０に装着するための装着筒である。装着筒１１は、容器本体５０の口部５１を周方向に取り囲む周壁１１ａを有する。周壁１１ａの内側には、ねじ部１１ｓが形成されている。これにより、装着筒１１は、口部５１に形成したねじ部５０ｓに対して取り外し可能にねじ付けられる。
【００１９】
符号Ｐは、装着筒１１の内側に配置されるポンプ機構である。ポンプ機構Ｐは、シリンダ１２を有する。シリンダ１２には、吸入パイプ１３が固定されている。シリンダ１２の内側には、ポペット１４が配置されている。ポペット１４の内側には、吸入パイプ１３を通して容器本体５０から吸入された内容液を導入する吸入弁１４ａが設けられている。本形態では、吸入弁１４ａは、３つの連結片を介して弾性保持された弾性弁で構成されている。また、ポペット１４には、吸入弁１４ａから導入された内溶液をシリンダ１２内に導入する開口通路ｒ1が形成されている。開口通路ｒ1は軸線Ｏ周りに間隔を置いて複数の箇所に形成されている。シリンダ１２内には、スプリング等の弾性部材１５が配置されている。弾性部材１５は、ポペット１４を介してピストン１６を弾支する。ピストン１６は、シリンダ１２の内側に摺動可能に配置され、ステムシャフト１６ａと一体に設けられている。
【００２０】
シリンダ１２の上端開口は、ポンプリング１７によって閉じられている。ポンプリング１７は、ポンプ機構Ｐの上端部材（リング部材）であって、その内側にステムシャフト１６ａを摺動可能に保持している。これにより、ポンプリング１７は、複数のポンプ要素からなる収納空間を形成する。また、ポンプリング１７を貫通するステムシャフト１６ａには、ノズルヘッド１８が固定されている。ステムシャフト１６ａには、開口通路ｒ1をノズルヘッド１８に通じさせる流路ｒ2が形成されている。更に、ステムシャフト１６ａの内側には、排出弁１９が配置されている。これにより、ポンプ機構Ｐが形成され、ヘッド１８ａの押し下げと復帰を繰り返せば、ノズル１８ｂから内容液を吐出させることができる。
【００２１】
ポンプリング１７は、ステムシャフト１６ａを摺動可能に保持する内筒部１７ａを有する。内筒部１７ａの外側には、内筒部１７ａを取り囲む中筒部１７ｂが設けられている。更に、中筒部１７ｂの外側には、中筒部１７ｂを取り囲む外筒部１７ｃが設けられている。中筒部１７ｂと外筒部１７ｃとの間には、シリンダ１２の上端部１２ａが配置されている。上端部１２ａは、抜け止め部Ｃによってポンプリング１７の外筒部１７ｃに抜け止め保持されている。抜け止め部Ｃとしては、例えば、図示のように、上端部１２ａの外周面に形成された環状の凸（凹）と、外筒部１７ｃの内周面に形成された環状の凹（凸）とを上下方向から嵌合させた凹凸嵌合が挙げられる。また、シリンダ１２の上端部１２ａは、回り止め部Ｌによってポンプリング１７の中筒部１７ｂに対して回り止めされている。回り止め部Ｌとしては、例えば、図示のように、上端部１２ａの内周面に沿って周方向に形成した縦リブ（スプライン（溝））と、ポンプリング１７の中筒部１７ｂの外周面に沿って周方向に形成した縦リブ（スプライン溝（スプライン））との噛み合いによるスプライン嵌合が挙げられる。これにより、シリンダ１２とポンプリング１７は、互いに軸線Ｏ周りを空転することなく、一体に結合される。さらに、ポンプリング１７には、外筒部１７ｃを取り囲む環状カバー部１７ｄが設けられている。
【００２２】
一方、シリンダ１２には、軸線Ｏ周りを周回する環状のフランジ１２ｂが一体に形成されている。また、本形態では、フランジ１２ｂには、パッキン等の環状のシール部材２０が設けられている。シール部材２０は、液体噴出器１０を容器の口部５１に取り付けたとき、液体噴出器１０と容器の口部５１との間を密封する。
【００２３】
装着筒１１には、図２（ａ）に示すように、開口部Ａ1が形成されている。開口部Ａ1には、図１に示すように、シリンダ１２を挿入することができる。これにより、装着筒１１は、シリンダ１２を貫通させた状態でフランジ１２ｂに載置されることで、シリンダ１２に対して装着筒１１を軸線Ｏ周りに回転させることができる。また、装着筒１１の下端部１１ｃは、図２に示すように、環状のフランジ部を形成する。下端部１１ｃには、図２（ｂ），（ｃ）に示すように、複数の突出部１１ｄが一体に設けられている（図中は例示的に１箇所のみ表示）。突出部１１ｄは、図２（ｃ）に示すように、装着筒の軸線Ｏ周りに間隔を置いて配置されている。これら突出部１１ｄは、全体として見たとき、その外観形状が、二点鎖線で仮想的に示すように八角柱状をし、嵌め合い部Ｅを形成する。これら突出部１１ｄの相互間には、隙間Ｓが８箇所に形成されている（図中は例示的に符号を１箇所のみ表示）。突出部１１ｄの外観形状はそれぞれ、２つの平面１１ｄ1からなる角部を形成する。本実施形態では、角部の稜線１１ｅは、図２（ｃ）に示すように、面取り加工等の方法によって、曲率半径ｒの断面形状に丸められている。
【００２４】
さらに、装着筒１１には、図１に示すように、シャットダウンカバー２２が載置されている。シャットダウンカバー２２は、装着筒１１を取り囲んで嵌め合い部Ｅを覆い隠す周壁２２ａを有する。周壁２２ａは、図示のように、平滑な面で形成されていることが好ましい。周壁２２ａの上端部は、反転部２２ｂを介して環状部２２ｃに一体に設けられている。環状部２２ｃには、図３に示すように、開口部Ａ2が形成されている。開口部Ａ2には、図１に示すように、シリンダ１２を挿入することができる。このため、環状部２２ｃは、シリンダ１２を貫通させた状態で装着筒１１の天壁１１ｂに載置されることで、装着筒１１に対して軸線Ｏ周りを回転することができる。これにより、シャットダウンカバー２２は、装着筒１１に対して軸線Ｏ周りに相対回転させることができる。
【００２５】
加えて、環状部２２ｃは、装着筒の天壁１１ｂとともに、シリンダのフランジ１２ｂとポンプリングの環状カバー部１７ｄとの間に配置される。これにより、液体噴出器１０は、ポンプ機構Ｐに、装着筒１１およびシャットダウンカバー２２を設けたユニットとしてなる。
【００２６】
また、反転部２２ｂは、図３に示すように、環状のプレート状に形成されている。反転部２２ｂの一端は、周壁２２ａの上端に、軸線Ｏ周りを周回する環状の可動部（ヒンジ部）２２ｄを介して連結されている。同様に、反転部２２ｂの他端は、環状部２２ｃの外縁に環状の可動部２２ｄを介して連結されている。これにより、シャットダウンカバー２２は、周壁２２ａを環状部２２ｃに対して軸線Ｏに沿って上昇させると、図４に示すように、２つの可動部２２ｄがそれぞれ屈曲することで、周壁２２ａを上昇させることができる。また、周壁２２ａと環状部２２ｃは、反転部２２ｂを介して連結されていることから、周壁２２ａを下降させたときには、周壁２２ａを下降した状態を維持し、周壁２２ａを上昇させたときも、周壁２２ａを上昇させた状態を維持する。このように、シャットダウンカバー２２の周壁２２ａによれば、反転部２２ｂの保形性（反転のし難さ）によって、嵌め合い部Ｅを強固に覆い隠すことができる。
【００２７】
更に、本実施形態では、図１に示すように、シャットダウンカバーの周壁２２ａと装着筒１１には、係止部Ｆ1が設けられている。係止部Ｆ1は、一方が他方を乗り越えることで周壁２２ａの上昇および下降を可能にする。係止部Ｆ1としては、例えば、装着筒１１に設けられた下端部（環状の凸部）１１ｃと、周壁２２ａの内周面に形成された環状の凸部２２ｐとを上下方向から嵌合させたアンダーカット嵌合が挙げられる。なお、係止部Ｆ1は、周壁２２ａを引き上げたのち、再度、周壁２２ａを押し下げると、一方が他方を再び乗り越えることで元の位置に固定保持される。これにより、嵌め合い部Ｅは、シャットダウンカバー２２によって、さらに強固に覆い隠される。
【００２８】
ここで、図５には、本発明の着脱工具の一実施形態を示す。着脱工具３０は、図５（ｃ）に示すように、中心軸Ｘ−Ｘに対して線対称な、前方が開放された馬蹄形のロアプレート部３１を有する。ロアプレート部３１は、中心軸Ｘ−Ｘに沿って嵌め合い部Ｅに差し入れられる。このため、ロアプレート部３１の内縁部３１ｅは、図５（ｃ）の二点鎖線で示すように、嵌め合い部Ｅに合わさる多角形状に形作られている。この多角形状は、中心軸Ｘ−Ｘに対して直交する方向に伸びる内縁部３１ａと、この内縁部３１ａの両側に隣接して配置される２つの内縁部３１ｂと、この内縁部３１ｂに隣接して配置されるとともに中心軸Ｘ−Ｘに沿って伸びる２つの内縁部３１ｃで形成される。これにより、着脱工具３０を嵌め合い部Ｅに差し込むと、ロアプレート部３１の内縁部３１ａ〜３１ｃがそれぞれ、嵌め合い部Ｅの外観形状を八角柱形状に形作る、１組の突出部１１の平面１１ｄ1に合わさって、当該嵌め合い部Ｅに対する嵌め合わせが実現される。この嵌め合わせにより、着脱工具３０を軸線Ｏ周りに回転させれば基本的に、装着筒１１も併せて回転させることができる。
【００２９】
特に、本実施形態では、ロアプレート部３１の開放側には、傾斜面３１ｆが形成されている。傾斜面３１ｆは、開放側に向かうに従ってロアプレート部３１の下端面に向かって傾斜する。傾斜面３１ｆは、着脱工具３０を差し入れるときに、シャットダウンカバー２２を上昇させるための案内面として機能する。加えて、傾斜面３１ｆは、着脱工具３０を装着筒の下端部１１ｃに差し入れるときの案内面としても機能する。これにより、着脱工具３０は、シャットダウンカバー２２の周壁２２ａが下降した状態のままでも装着筒１１の下側に形成された嵌め合い部Ｅに対して容易に嵌め込むことができる。
【００３０】
また、本実施形態では、内縁部３１ａ及び３１ｂにそれぞれ、突起部３２及び３３が形成されている。突起部３２及び３３はそれぞれ、嵌め合い部Ｅに形成された個々の隙間Ｓに対応して、各隙間Ｓの内側に挿入させることができる。突起部３３は、着脱工具３０の差し入れ方向（中心軸Ｘ−Ｘ）に対して傾斜している。本実施形態では、突起部３２に隣接する突起部３３の隅部に切り欠き部３３ａが設けられている。切り欠き部３３ａは、差し入れ方向に平行に伸びる内縁部を形成する。これにより、切り欠き部３３ａは、突起部３３を隙間Ｓに挿入させるとき、突起部３３との干渉を抑制しつつ、隙間Ｓに案内するための案内部として機能する。
【００３１】
さらに、本実施形態では、ロアプレート部３１からサイドプレート部３４が一体に起立する。サイドプレート部３４は、ロアプレート部３１の外縁に沿って設けられている。これにより、シャットダウンカバー２２は、サイドプレート部３４の内側に配置される。サイドプレート部３４の内面には、係止部Ｆ2が設けられている。係止部Ｆ2は、シャットダウンカバーの周壁２２ａに引っ掛かって互いに固定保持される。係止部Ｆ2としては、例えば、サイドプレート部３４の内面に左右一対の縦リブ３４ｐを設け、これら縦リブ３４ｐを前後方向中心（軸線Ｏ）よりも、わずかに前方に配置することで、シャットダウンカバーの周壁２２ａに引っ掛けて嵌合保持するものが挙げられる。なお、係止部Ｆ2は、着脱工具３０を後方に引っ張ると、シャットダウンカバーの周壁２２ａが拡径することで、着脱工具３０をシャットダウンカバー２２から取り外すことができる。これにより、着脱工具３０が引き抜かれることなく、装着筒１１を回転させることができる。
【００３２】
加えて、本実施形態では、図５（ｂ）に示すように、サイドプレート部３４の上端に、アッパープレート部３５が設けられている。アッパープレート部３５は、ロアプレート部３１およびサイドプレート部３４とともに、装着筒１１をシャットダウンカバー２２ごと収納するための空間を形成する。また、アッパープレート部３５には、図５（ａ）に示すように、スリット３５ｓが形成されている。スリット３５ｓには、ステムシャフト１６ａを挿入させることができる。
【００３３】
さらに、本実施形態では、着脱工具３０にストラップホール３６を備える。ストラップホール３６は、その内側に形成された開口部３６ａに、首掛け紐などを通すことで携帯性を向上させる。また、本実施形態では、ロアプレート部３１とアッパープレート部３５が似たような外観形状を有するが、使用者は、ストラップホール３６を視認することで、着脱工具３０の上下を瞬時に判断することができる。
【００３４】
ここで、本発明に従う、液体噴出器１０を採用したポンプ容器１について、その効果と、着脱工具３０を用いて詰め替えを行う方法の一例について説明する。
【００３５】
例えば、公共施設等において、液体石鹸を提供する場合、本発明に従う、ポンプ容器１では、図１に示すように、装着筒１１の下端部に、嵌め合い部Ｅが形成されている。このため、嵌め合い部Ｅに適合する工具を持たない第三者は、装着筒１１を直接回転させることができない。しかも、嵌め合い部Ｅは装着筒１１とともに、この装着筒１１に対して相対回転するシャットダウンカバーの周壁２２ａによって覆い隠されている。このため、第三者が開封を目的にシャットダウンカバー２２を回転させても、シャットダウンカバー２２が装着筒１１に対して空転するのみで装着筒１１を緩めることができない。また、周壁２２ａは、平滑な面で形成されているため、外部から回転させること自体が困難である。さらに、シャットダウンカバーの周壁２２ａは、係止部Ｆ1によって固定されているため、装着筒１１から引き上げることも困難である。従って、本発明に従う、ポンプ容器１によれば、不正使用による着脱が困難で高い安全性を確保することができる。
【００３６】
これに対し、着脱工具３０を所持する管理者は、着脱工具３０を前方から差し入れれば、ロアプレート部３１の傾斜面３１ｆが周壁２２ａを押し上げる案内面として機能することで、係止部Ｆ1の固定を解除する。さらに、着脱工具３０を差し入れれば、図６に示すように、ロアプレート部３１の内面が周壁２２ａを引き上げることで、周壁２２ａの下側から嵌め合い部Ｅを露出させる。これにより、ロアプレート部３１の内縁部３１ａ〜３１ｃを嵌め合わせることができる。
【００３７】
ここで、ロアプレート部３１の内縁部３１ａ〜３１ｃは、嵌め合い部Ｅの形状に対して多少の遊びを持たせることで、差し込み時の操作性を高めることが一般的である。このため、嵌め合い部Ｅとロアプレート部３１の内縁部３１ａ〜３１ｃとの位置合わせのみでは、着脱工具３０が嵌め合い部Ｅに対してスリップすることも考えられる。
【００３８】
これに対し、本実施形態に係る、嵌め合い部Ｅは、装着筒１１の下端部に配置された複数の突出部１１ｄで形作られた多角柱状であって、突出部１１ｄの相互間に複数の隙間Ｓが形成されている。このため、図７に示すように、着脱工具３０に設けた突起部３２，３３それぞれが隙間Ｓに挿入されることで、着脱工具３０を嵌め合い部Ｅに対してスリップさせることなく、装着筒１１を軸線Ｏ周りに時計回り又は反時計回りに回転させることができる。
【００３９】
しかも、突出部１１ｄの外観形状は、２つの平面１１ｄ1からなる角部を形成することで、当該平面１１ｄ1の少なくとも一方が、例えば、着脱工具に設けた突起部３３に対して隙間Ｓに案内する案内面を形成する。このため、着脱工具３０の突起部３２，３３と嵌め合い部Ｅに形成された隙間Ｓとの位置合わせを容易に行うことができる。また、本実施形態では、角部の稜線１１ｅを湾曲させて丸みを持たせたことで、さらに容易な位置合わせを実現する。こうした案内は、装着工具３０に、１つの突起部３３のみ設けた場合や、突起部３３，３３をそれぞれ１つずつ設けた場合に有効である。
【００４０】
このため、着脱工具３０を用いて装着筒１１を上昇させれば、その天壁１１ｂがカバー２２に設けた環状部２２ｃを介してポンプ機構Ｐ全体を押し上げることで液体噴出器１０を容器本体５０から取り外すことができ、反対に下降すれば、液体噴出器１０を容器本体５０に取り付けることができる。従って、工具３０を所持する管理者は、装着筒１１に設けた嵌め合い部Ｅを通して、液体噴出器１０を容器本体５０に対してねじ付け、或いは、取り外すことができる。
【００４１】
このように、本実施形態では、シャットダウンカバーの周壁２２ａの下側から着脱工具３０を差し入れれば、当該周壁２２ａが上昇することで、着脱工具３０を嵌め合い部Ｅに嵌め込むことができる。これにより、着脱工具３０を軸線Ｏ周りに回転させることで、装着筒１１を容器本体５０に対して回転させることができる。従って、本実施形態によれば、不正使用による着脱が困難な安全性の高い新規なポンプ容器１を提供することができる。なお、本発明に従えば、シャットダウンカバー２２の周壁２２ａは、反転部２２ｂの保形性を、その大きさ、厚み、環状部２２ｃでの傾斜角度などを変更することで調整することができる。このため、周壁２２ａは、反転部２２ｂの保形性を調整することで、人が大きな力を加えることで上下動させることもできる。また、嵌め合い部材Ｅは、着脱工具３０を合わせることができれば、その外観形状には、例えば、六角柱状など、様々な形状を採用することができる。
【００４２】
一方、本発明の着脱工具３０は、一方が開放された馬蹄形のロアプレート部３１を有して、当該プレート部３１の内縁部３１ａ〜３１ｃが嵌め合い部に合わさる多角形状に形作られているとともに、当該多角形を形作る内縁部３１ａ，３１ｂに、隙間Ｓに挿入される突起部３２，３３が形成されたものであることから、液体噴出器１０を容器本体５０からの着脱に用いる場合に有効である。
【００４３】
なお、本実施形態では、図１などに示すように、ノズルヘッド１８の内側にねじ部を設け、ポンプリング１７にねじ込むことができるところ、ポンプリング１７の外表面に、ねじ付けのための筒体部を設けることなく、凹凸のない平滑な面に形成している。これにより、ポンプリング１７を把持してポンプ機構Ｐごと、装着筒１１を回転させることを防止している。ただし、本発明に従えば、ノズルヘッド１８をねじ込むために、従来と同様、ポンプリング１７に筒体部を設け、この筒体部にねじ部を形成することもできる。
【００４４】
上述したところは、本発明の一実施形態であるが、本発明に従えば、様々な変更が可能となる。例えば、着脱工具３０は、ロアプレート部３１のみで構成することも可能である。また、ポンプ機構Ｐは例示的なものであり、本形態に制限されることなく、様々な機構のものを採用することができる。容器用液体噴出器は、泡生成液体噴出器や噴霧液体噴出器とすることもできる。
【産業上の利用可能性】
【００４５】
本発明は、容器の口部に取り外し可能にねじ付けられる装着筒と、装着筒を保持するポンプ機構とを備える容器用液体噴出器であれば、据え置きタイプの容器に限定されることなく、採用することができる。また、内容物についても、シャンプーやリンス、整髪料など、様々なものを採用することができる。
【符号の説明】
【００４６】
１      ポンプ容器
１０    容器用液体噴出器
１０ｓ  ねじ部
１１    装着筒
１１ａ  周壁
１１ｂ  天壁
１１ｃ  下端部
１１ｄ  突出部
１１ｄ1 平面
１１ｅ  稜線
１２    シリンダ
１２ａ  シリンダ上端部
１２ｂ  フランジ
１３    吸入パイプ
１４    ポペット
１４ａ  吸入弁
１５    弾性部材
１６    ピストン
１６ａ  ステムシャフト
１７    ポンプリング
１７ａ  内筒部
１７ｂ  中筒部
１７ｃ  外筒部
１７ｄ  環状カバー部
１８    ノズルヘッド
１８ａ  ヘッド
１８ｂ  ノズル
１９    排出弁
２０    シール部材
２２    シャットダウンカバー
２２ａ  周壁
２２ｂ  反転部
２２ｃ  環状部
２２ｄ  可動部
２２ｐ  縦リブ
３０    着脱工具
３１    ロアプレート部
３１ａ  内縁部
３１ｂ  内縁部
３１ｃ  内縁部
３１ｆ  傾斜面
３２    突起部
３３    突起部
３３ａ  切り欠き部
３４    サイドプレート部
３４ｐ  縦リブ
３５    アッパープレート部
３５ｓ  スリット
３６    ストラップホール
３６ａ  開口部
５０    容器本体
５０ｓ  ねじ部
５１    口部
Ａ1     開口部
Ａ2     開口部
Ｅ      嵌め合い部
Ｆ1     係止部
Ｆ2     係止部
Ｓ      隙間
【図１】
2014091534.tif 000003
【図２】
2014091534.tif 000004
【図３】
2014091534.tif 000005
【図４】
2014091534.tif 000006
【図５】
2014091534.tif 000007
【図６】
2014091534.tif 000008
【図７】
2014091534.tif 000009